(57)【要約】【課題】送信される信号に専用領域を挿入する必要なく、エラー訂正機能の有効化、無効化を自動的に切り替えることができていなかった。【解決手段】受信データにエラー訂正のための訂正符号部が含まれていることが検出された場合、所定のエラー訂正を行うエラー訂正工程によりエラー訂正されたデータを出力し、受信データからエラー訂正のための訂正符号部が検出されない場合、前記エラー訂正工程によるエラー訂正を行わずに出力する。【選択図】図６
2011066615.tif 000002
【特許請求の範囲】
【請求項１】
所定のエラー訂正を行うエラー訂正手段と、
受信データにエラー訂正のための訂正符号部が含まれていることが検出された場合、前記エラー訂正手段によりエラー訂正したデータを出力し、受信データからエラー訂正のための訂正符号部が検出されない場合、前記エラー訂正手段によるエラー訂正を行わずに出力する動作選択手段を備えたことを特徴とする通信装置。
【請求項２】
受信データが、データ部の連続により構成されるフレームフォーマットであるか否かを検出するデータ連続フレーム検出手段と、
受信データが、データ部および訂正符号部から構成されるフレームフォーマットであるか否かを検出する訂正付きフレーム検出手段と、を備え、
前記動作選択手段は、
前記データ連続フレーム検出手段によりデータ部が連続して構成されるフレームフォーマットと検出された場合、前記エラー訂正手段によるエラー訂正を行わずにデータ出力し、
前記訂正付きフレーム検出手段によりデータ部および訂正符号部から構成されるフレームフォーマットと検出された場合、前記エラー訂正手段によるエラー訂正したデータを出力することを特徴とする請求項１記載の通信装置。
【請求項３】
前記データ連続フレーム検出手段は、受信データからデータ部のフレームとしての同期ヘッダが所定数以上連続して検出された場合に、データ部が連続して構成されるフレームフォーマットであると検出することを特徴とする請求項２記載の通信装置。
【請求項４】
前記訂正付きフレーム検出手段は、受信データから、データ部のフレームとしての同期ヘッダが所定数以上連続して検出されると共に、訂正符号部のフレームとしての同期ヘッダが所定数以上連続して検出された場合に、データ部および訂正符号部から構成されるフレームフォーマットであると検出することを特徴とする請求項２または３記載の通信装置。
【請求項５】
前記通信装置は、光通信システムにおける局側終端装置または加入者側終端装置であることを特徴とする請求項１から４の何れか１項に記載の通信装置。
【請求項６】
請求項１から５の何れか１項に記載の通信装置に、分岐手段を介して、請求項１から５の何れか１項に記載の通信装置の複数が接続されて構成されたことを特徴とする通信システム。
【請求項７】
受信データにエラー訂正のための訂正符号部が含まれていることが検出された場合、所定のエラー訂正を行うエラー訂正工程によりエラー訂正されたデータを出力し、
受信データからエラー訂正のための訂正符号部が検出されない場合、前記エラー訂正工程によるエラー訂正を行わずに出力することを特徴とする受信データ処理方法。
【請求項８】
受信データが、データ部の連続により構成されるフレームフォーマットであるか否かを検出するデータ連続フレーム検出工程と、
受信データが、データ部および訂正符号部から構成されるフレームフォーマットであるか否かを検出する訂正付きフレーム検出工程と、を備え、
前記訂正付きフレーム検出工程によりデータ部および訂正符号部から構成されるフレームフォーマットと検出された場合、所定のエラー訂正を行うエラー訂正工程によりエラー訂正したデータを出力し、
前記データ連続フレーム検出工程によりデータ部が連続して構成されるフレームフォーマットと検出された場合、前記エラー訂正工程によるエラー訂正を行わずにデータ出力することを特徴とする受信データ処理方法。
【請求項９】
受信データにエラー訂正のための訂正符号部が含まれていることが検出された場合、所定のエラー訂正を行うエラー訂正手順によりエラー訂正されたデータを出力し、
受信データからエラー訂正のための訂正符号部が検出されない場合、前記エラー訂正手順によるエラー訂正を行わずに出力する手順を、通信装置のコンピュータに実行させることを特徴とする通信装置のプログラム。
【請求項１０】
受信データが、データ部の連続により構成されるフレームフォーマットであるか否かを検出するデータ連続フレーム検出手順と、
受信データが、データ部および訂正符号部から構成されるフレームフォーマットであるか否かを検出する訂正付きフレーム検出手順と、を通信装置のコンピュータに実行させ、
前記訂正付きフレーム検出手順によりデータ部および訂正符号部から構成されるフレームフォーマットと検出された場合、所定のエラー訂正を行うエラー訂正手順によりエラー訂正したデータを出力し、
前記データ連続フレーム検出手順によりデータ部が連続して構成されるフレームフォーマットと検出された場合、前記エラー訂正手順によるエラー訂正を行わずにデータ出力する手順を前記通信装置のコンピュータに実行させることを特徴とする通信装置のプログラム。
【発明の詳細な説明】
【技術分野】
【０００１】
本発明は、例えばＰＯＮ（Passive Optical Network）システムにおける局側終端装置（ＯＬＴ；Optical Line Terminal）や、加入者側終端装置（ＯＮＵ；Optical Network Unit）など、通信におけるエラー訂正機能を備えた通信装置、通信システム、受信データ処理方法、および装置のプログラムに関する。
【背景技術】
【０００２】
１０Ｇ−ＥＰＯＮ（10 Gigabit Ethernet（登録商標） Passive Optical Network）は、IEEE Std 802.3により通信方式が規定される。10 Gigabit Ethernetをベースにエラー訂正機能を前提とした通信方式であるが、そのフォーマットは10 Gigabit Ethernetと同時に使用できるようには設計されていない。
【０００３】
こうしたエラー訂正を行うＰＯＮシステムとして、ＯＬＴが、ＯＮＵからの同期離脱用デリミタ（delimiter）を検出することでそのフレーム境界に基づいてフレーム同期を確立し、ＯＮＵが、ＯＬＴからのデリミタを検出することでそのフレーム境界に基づいてフレーム同期を確立し、それぞれ同期の確立したＦＥＣ（Forward Error Correction）フレームを用いてデータをエラー訂正復号するものがある（例えば、特許文献１参照）。
【０００４】
また、送信するフレームにおけるヘッダの所定領域に、エラー訂正を行っているか否かを示すエラー訂正機能の有効と無効を示すビットを独自に挿入して伝送し、受信側装置にエラー訂正機能の有効／無効を設定しようとするものがある（例えば、特許文献２参照）。
【先行技術文献】
【特許文献】
【０００５】
【特許文献１】特開２００８−６７２５２号公報
【特許文献１】特開２０００−１９６５５２号公報
【発明の概要】
【発明が解決しようとする課題】
【０００６】
ＰＯＮシステムでは、ＯＮＵはカプラを経由してＯＬＴから様々な場所で光信号の送受信を行う。このため、エラー訂正機能を有効化または無効化するには、各地にあるＯＮＵに対して直接設定するのは非現実的であり、ＯＬＴからＯＮＵに対して遠隔で設定を投入することが望ましい。しかし、ＯＬＴとＯＮＵでエラー訂正機能に相違があると信号が導通しないため、設定変更中に信号が導通しないこととなり、変更操作自体が完了しない虞があった。
【０００７】
また、上述した特許文献１のものは、同期離脱用デリミタやデリミタを検出することでフレーム同期をより確実に確立しようとするものであり、エラー訂正機能の有効化、無効化を自動的に切り替えることについてまで考慮されたものではなかった。
【０００８】
また、上述した特許文献２のものは、送信側装置および受信側装置の両方に専用の装置を用いなければ、受信側装置にエラー訂正機能の有効／無効を遠隔設定できないため、送信側装置がＩＥＥＥなどの規格標準の動作である場合にも機能させることや、他社製品との互換性を持たせることについてまで考慮されたものではなかった。
【０００９】
本発明はこのような状況に鑑みてなされたものであり、送信される信号に専用領域を挿入する必要なく、エラー訂正機能の有効化、無効化を自動的に切り替えることができる通信装置、通信システム、受信データ処理方法、および装置のプログラムを提供することを目的とする。
【課題を解決するための手段】
【００１０】
かかる目的を達成するために、本発明に係る通信装置は、所定のエラー訂正を行うエラー訂正手段と、受信データにエラー訂正のための訂正符号部が含まれていることが検出された場合、上記エラー訂正手段によりエラー訂正したデータを出力し、受信データからエラー訂正のための訂正符号部が検出されない場合、上記エラー訂正手段によるエラー訂正を行わずに出力する動作選択手段を備えたことを特徴とする。
【００１１】
また、本発明に係る通信システムは、上述した本発明に係る通信装置に、分岐手段を介して、上述した本発明に係る通信装置の複数が接続されて構成されたことを特徴とする。
【００１２】
また、本発明に係る受信データ処理方法は、受信データにエラー訂正のための訂正符号部が含まれていることが検出された場合、所定のエラー訂正を行うエラー訂正工程によりエラー訂正されたデータを出力し、受信データからエラー訂正のための訂正符号部が検出されない場合、上記エラー訂正工程によるエラー訂正を行わずに出力することを特徴とする。
【００１３】
また、本発明に係る通信装置のプログラムは、受信データにエラー訂正のための訂正符号部が含まれていることが検出された場合、所定のエラー訂正を行うエラー訂正手順によりエラー訂正されたデータを出力し、受信データからエラー訂正のための訂正符号部が検出されない場合、上記エラー訂正手順によるエラー訂正を行わずに出力する手順を、上記通信装置のコンピュータに実行させることを特徴とする。
【発明の効果】
【００１４】
以上のように、本発明によれば、送信される信号に専用領域を挿入する必要なく、エラー訂正機能の有効化、無効化を自動的に切り替えることができる。
【図面の簡単な説明】
【００１５】
【図１】本実施形態としての光通信システムの構成例を示すブロック図である。
【図２】１０Ｇ−ＥＰＯＮにおけるエラー訂正機能有効時のフレームフォーマットを示す図である。
【図３】10 Gigabit Ethernetのフレームフォーマットを示す図である。
【図４】ＯＮＵ４の受信エラー訂正部４１の構成を示すブロック図である。
【図５】主信号選択部４６による選択論理のための条件をテーブルとして示す図である。
【図６】主信号選択部４６の選択論理の状態遷移を示すフローチャートである。
【図７】ＯＬＴ１の受信エラー訂正部１１の構成を示すブロック図である。
【発明を実施するための形態】
【００１６】
次に、本発明に係る通信装置、通信システム、受信データ処理方法、および装置のプログラムを、１０Ｇ−ＥＰＯＮシステムに適用した一実施形態について、図面を用いて詳細に説明する。
【００１７】
まず、本実施形態の概略について説明する。
本実施形態は、１０Ｇ−ＥＰＯＮを構成するＯＮＵにおいて、下りエラー訂正機能を自動選択するＦＥＣモード自動選択方式を提供するものである。
【００１８】
一般に、IEEE802.3avによれば１０Ｇ−ＥＰＯＮではエラー訂正機能を必須としており、そこで使用される光モジュールの受光レベル仕様等はエラー訂正機能を有効にすることが前提で決められている。これは受光レベルが低くエラーの多いというワーストケースでの仕様を指しているが、十分エラーしない光レベルにおいては、エラー訂正機能は働くことがなく、エラー訂正符号分だけ利用可能帯域が無駄に消費される。
【００１９】
そこで、エラー訂正に有効／無効を選べるようにし、無効時は10 Gigabit Ethernetとして動作することで、十分エラーしない受光レベルで１０Ｇ−ＥＰＯＮネットワーク設計し、エラー訂正機能を外して利用可能帯域を増加させて運用することは可能である。
【００２０】
ここで、１０Ｇ−ＥＰＯＮエラー訂正機能は10 Gigabit Ethernetの６６Ｂフレームを一部改変したものであり、伝送路フォーマットに互換性はないため、符号化側と訂正側は機能の有効／無効の状態を合わせなければならない。
【００２１】
エラー訂正機能を有効にした状態のＯＬＴとＯＮＵでネットワークを構成して運用を開始した後、エラー訂正機能を無効にしたい場合はＯＬＴと各地に配布されたＯＮＵへ設定を変更しなければならない。エラー訂正の設定が異なる場合、伝送路フォーマットの違いによりＯＬＴとＯＮＵの間でデータを正常に転送できなくなるため、遠隔設定変更中にＯＬＴから見てＯＮＵは状態不明となってしまう虞がある。
【００２２】
そこで、本実施形態では、ＯＬＴに接続された全てのＯＮＵが６６Ｂブロック同期において、ＦＥＣブロックの有無を判断し、訂正機能を有効にするか無効にするかを選ぶことで、ネットワーク全体として機能の有効／無効を運用中に変更できるようにする。
【００２３】
次に、本実施形態の構成について、詳細に説明する。図１は、本実施形態としての光通信システムの構成例を示す。
【００２４】
本実施形態としての光通信システムは、図１に示すように、ＯＬＴ１に、光ファイバなどによる光伝送路２と、光分岐手段である光カプラ３とを介して、複数のＯＮＵ４が接続されて構成される。
【００２５】
図１において、符号１は１０Ｇ−ＥＰＯＮにおけるOptical Line Terminal（ＯＬＴ）を示す。ＯＬＴ１は、加入者側ネットワークに接続させるＰＯＮインターフェースと、事業者側ネットワーク側へのインタフェースであるService Node Interface（ＳＮＩ）を備える。また、ＯＬＴ訂正符号化部１１を備え、受信データのエラー訂正を行う。
【００２６】
下り方向にある符号４ａ、４ｂ、・・・は、ＥＰＯＮにおけるOptical Network Unit（ＯＮＵ）を示す。ＯＮＵ４ａおよびＯＮＵ４ｂは、事業者側ネットワーク側に接続させるＰＯＮインターフェースと、加入者側ネットワーク側へのインタフェースであるUser Node Interface（ＵＮＩ）を備える。また、ＯＮＵ受信エラー訂正部４１を備え、受信データのエラー訂正を行う。
【００２７】
ＳＮＩから入力された主信号はＯＬＴ１のＰＯＮインターフェースから光信号として出力され、光伝送路２から光カプラ３により分岐されて各ＯＮＵ４へ到達する。このときＯＬＴ１は、一般的な動作としてエラー訂正機能有効である場合、ＳＮＩからの受信信号にエラー訂正符号を付加して出力する。この場合、ＯＮＵにおいてはエラー訂正符号付き主信号を処理することになる。
【００２８】
同様にＵＮＩから入力された信号はＯＮＵ４のＰＯＮインターフェースから光信号として出力され、光伝送路２および光カプラ３を介してＯＬＴ１へ到達する。ＯＮＵ４は、ＵＮＩからの受信信号にエラー訂正符号を付加して出力する。ＯＬＴ１においてはエラー訂正符号付き主信号を処理することになる。
【００２９】
図２は、１０Ｇ−ＥＰＯＮにおけるエラー訂正機能有効時のフレームフォーマットを示す。１０Ｇ−ＥＰＯＮエラー訂正フレームフォーマットは、データ部と訂正符号部から構成され、それぞれ複数の６６ビット単位のブロックが並べられて構成される。訂正符号部は、リードソロモンなどの符号化アルゴリズムによりデータ部から生成されたブロックである。
【００３０】
各６６ビットブロックは先頭２ビットの同期ヘッダ（Sync Header）と残り６４ビットデータから構成される。データ部と訂正符号部は同期ヘッダによりが区別され、同期ヘッダが“０１”または“１０”の場合データ部であり、同期ヘッダが“００”または“１１”の場合訂正符号部である。
【００３１】
図３は、10 Gigabit Ethernetのフレームフォーマットを示している。10 Gigabit Ethernetフレームフォーマットは、データ部が連続して構成され、複数の６６ビット単位のブロックが並べられて構成される。
各６６ビット単位のブロックは、先頭２ビットの同期ヘッダと残り６４ビットデータから構成される。同期ヘッダは“０１”または“１０”のみを取ることができ、“００”または“１１”は同期ヘッダエラーとして取り扱われる。
【００３２】
図４は、ＯＮＵ４の受信エラー訂正部４１の構成を示している。ＯＮＵ受信エラー訂正部４１は、ＦＥＣ同期／同期外れ検出部４２、エラー訂正処理部４３、１０ＧｂＥ同期／同期外れ検出部４４、エラー訂正バイパス部４５、および、主信号選択部４６を備えて構成される。図４中の矢印は主信号の流れを示しており、図４における右から左に向かって主信号が転送されていることを示す。
【００３３】
ＦＥＣ同期／同期外れ検出部４２は、１０Ｇ−ＥＰＯＮにおけるＦＥＣフレームの同期を検出するモジュールである。本検出はIEEE 802.3av FEC Block Synchronizerに相当する。
エラー訂正処理部４３は、リードソロモン符号などを使用し、ＩＥＥＥなどの規格に定められたエラー訂正を行うエラー訂正モジュールである。
【００３４】
ＦＥＣ同期／同期外れ検出部４２およびエラー訂正処理部４３は、ＦＥＣ同期／同期外れ検出部４２でＦＥＣ同期により１０Ｇ−ＥＰＯＮエラー訂正フレームフォーマットでの信号を受信した場合のみ処理できる。
【００３５】
１０ＧｂＥ同期／同期外れ検出部４４は、10 Gigabit Ethernetにおけるフレーム同期を検出するモジュールである。本検出はIEEE 802.3 clause 49 Block Synchronizerに相当する。
【００３６】
エラー訂正バイパス部４５はそのままフレームを後続の主信号選択部４６へ転送するモジュールである。すなわちエラー訂正などの特殊な処理なしに後続の処理部へ渡すだけである。
【００３７】
主信号選択部４６は、エラー訂正処理部４３およびエラー訂正バイパス部４５のいずれか一方のデータを選択し、後続モジュールに転送する。
【００３８】
図５は、主信号選択部４６による選択論理のための条件をテーブルにて示している。
主信号選択部４６は、「非同期中」、「１０ＧｂＥ同期中」、「ＦＥＣ同期中」の３種類の状態を判別し、各状態に応じた動作選択を行う。
【００３９】
「非同期中」とは、１０Ｇ−ＥＰＯＮエラー訂正フレームや10 Gigabit Ethernetフレームに同期していない状態を指す。この状態では、図２、図３に示すデータ部についても訂正符号部についても、６６ビット単位のブロックの何れも受信データを認識できない。
【００４０】
「１０ＧｂＥ同期中」とは、データ部が連続して構成されるフレームフォーマットである10 Gigabit Ethernetフレームに同期している状態を指す。すなわち、図３に示すように、データ部を示す６６ビット単位のブロックが所定数以上連続して検出され、訂正符号部を示す６６ビット単位のブロックは所定数連続して検出されない状態を示す。
【００４１】
「ＦＥＣ同期中」とは、データ部および訂正符号部から構成されるフレームフォーマットである１０Ｇ−ＥＰＯＮエラー訂正フレームに同期している状態を指す。すなわち、図２に示すように、データ部を示す６６ビット単位のブロックが所定数以上連続して検出され、訂正符号部を示す６６ビット単位のブロックも所定数連続して検出される状態を示す。
【００４２】
主信号選択部４６は、「非同期中」および「１０ＧｂＥ同期中」の状態では、エラー訂正バイパス部からの主信号を後続のモジュールへ転送する。「ＦＥＣ同期中」の状態では、エラー訂正処理部からの主信号を後続のモジュールへ転送する。
【００４３】
なお、ＯＮＵにおける信号を送信する構成については、一般的なＯＮＵと同様であり、本発明の特徴とは直接関係しないので省略する。本実施形態は、ＯＬＴおよびＯＮＵのＰＯＮ区間の受信部において、エラー訂正機能の有効と無効を自動的に選択する方式を示すものである。
【００４４】
次に、本実施形態によるＯＮＵ４におけるデータ受信動作について、図６を参照して説明する。図６は、主信号選択部４６の選択論理の状態遷移を示すフローチャートである。
【００４５】
ＯＮＵ４では、データ受信およびエラー訂正に先立って、データ受信のための同期確立が必要である。
【００４６】
まず、ＯＮＵ４は、電源ＯＮ時などの動作開始後、同期がとれていないため、主信号選択部４６は非同期中の状態となる（ステップＳ１）。
【００４７】
ＯＮＵ受信エラー訂正部４１の１０ＧｂＥ同期／同期外れ検出部４４がデータフレームを示す同期ヘッダを所定数連続して検出すると（ステップＳ２；Ｙｅｓ）、主信号選択部４６は、データ部が連続している状態である１０ＧｂＥ同期中の動作状態となる（ステップＳ４）。
【００４８】
１０ＧｂＥ同期中においては、データ部が連続するデータフォーマットを受信するための同期である１０ＧｂＥ同期が外れているか否かを、１０ＧｂＥ同期／同期外れ検出部４４が監視する。１０ＧｂＥ同期が外れた場合、ステップＳ１の非同期中に戻る（ステップＳ５）。
【００４９】
ＯＮＵ受信エラー訂正部４１のＦＥＣ同期／同期外れ検出部４２がデータフレームを示す同期ヘッダを所定数連続して検出し、ＦＥＣフレームを示す同期ヘッダを所定数連続して検出すると（ステップＳ３；Ｙｅｓ）、主信号選択部４６は、データ部と訂正符号部とによるデータフォーマットを受信している状態であるＦＥＣ同期中の動作状態となる（ステップＳ６）。
【００５０】
ＦＥＣ同期中においては、データ部と訂正符号部とによるデータフォーマットを受信するための同期であるＦＥＣ同期が外れているか否かを、ＦＥＣ同期／同期外れ検出部４２が監視する。ＦＥＣ同期が外れた場合、ステップＳ１の非同期中に戻る（ステップＳ７）。
【００５１】
主信号選択部４６は、同期状態に従って主信号を選択する。
１０ＧｂＥ同期中の状態には、エラー訂正バイパス部４５からの出力信号を選択して後続モジュールに転送する。このことにより、エラー訂正をバイパスし、そのまま主信号として後続モジュールに転送する。
【００５２】
ＦＥＣ同期中の状態には、エラー訂正処理部４３からの出力信号を選択して後続モジュールに転送する。このことにより、ＩＥＥＥなどの規格に定められたエラー訂正を行ったうえで主信号を後続モジュールに転送する。エラー訂正されたフレームは10 Gigabit Ethernetフレームと同じフレームフォーマットになるため、主信号選択部４６の後続モジュールでは、いずれの信号が転送された場合でも同様の動作となる。
【００５３】
以上のように、上述した実施形態によれば、ＯＮＵ４が上述のようにエラー訂正を選択的に行うことで、ＯＬＴ１からの信号状態に従ってエラー訂正するか否かを決めることができる。
【００５４】
このように、上述した実施形態では、１０Ｇ−ＥＰＯＮにてエラー訂正機能を有効化または無効化するとき、ＯＮＵ４側が、訂正符号部を含む１０Ｇ−ＥＰＯＮエラー訂正フレームフォーマットで同期するか、データ部が連続する10 Gigabit Ethernetフレームフォーマットで同期するかを自動的に選択する。このため、ＯＬＴ１とＯＮＵ４の間でエラー訂正するかどうかの設定が同じであるかどうかに関わらず通信可能となる。
【００５５】
このため、本実施形態によれば、各地に設置されたＯＮＵ４の設置場所で設定変更を行う必要なく、エラー訂正機能を有効化または無効化できる。
【００５６】
また、上述した実施形態の説明では、ＯＬＴ１がエラー訂正符号化を行いＯＮＵ４がエラー訂正するケース、すなわち、ＯＬＴ１からＯＮＵ４へ送信する下り方向の通信に関する説明であったが、逆方向の上り方向の通信についても同様に実現することができる。
この上り方向の通信では、ＯＬＴ１のＯＬＴ受信エラー訂正部１１が図７のように構成され、同名称の機能部が上述した実施形態と同様の動作を行うことにより、上述した実施形態による各効果が実現されることとなる。
【００５７】
このように、本実施形態によれば、エラー訂正するかどうかを受信側装置が主信号への同期で判断するため、受信側装置のエラー訂正動作を送信側装置の動作に追随させ、エラー訂正機能の有効化または無効化を自動設定することができる。
【００５８】
なお、上述した各実施形態は本発明の好適な実施形態であり、本発明はこれに限定されることなく、本発明の技術的思想に基づいて種々変形して実施することが可能である。
【００５９】
例えば、上述した実施形態におけるＯＬＴ１やＯＮＵ４を実現するための処理手順をプログラムとして記録媒体に記録することにより、本発明の実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００６０】
この本発明に係るプログラムによれば、当該プログラムによって制御されるＯＬＴやＯＮＵに、上述した実施形態における各機能を実現させることができる。
【符号の説明】
【００６１】
１    ＯＬＴ
２    光伝送路
３    光カプラ
４    ＯＮＵ
１１，４１    ＯＮＵ受信エラー訂正部
１２，４２    ＦＥＣ同期／同期外れ検出部
１３，４３    エラー訂正処理部
１４，４４    １０ＧｂＥ同期／同期外れ検出部
１５，４５    エラー訂正バイパス部
１６，４６    主信号選択部
【図１】
2011066615.tif 000003
【図２】
2011066615.tif 000004
【図３】
2011066615.tif 000005
【図４】
2011066615.tif 000006
【図５】
2011066615.tif 000007
【図６】
2011066615.tif 000008
【図７】
2011066615.tif 000009